【手続補正書】
【提出日】平成16年8月12日(2004.8.12)
【手続補正１】
【補正対象書類名】特許請求の範囲
【補正対象項目名】全文
【補正方法】変更
【補正の内容】
【特許請求の範囲】
【請求項１】
中空で前後が開いているガラス製注射筒（１）と、
上記注射筒（１）の内側で滑り可能なプランジャー（２）であって、後端部（２１）によって上記注射筒から引き出される手動操作可能な心棒（２０）を後部に備えているプランジャー（２）と、
上記注射筒（１）の前端部（１０）に取り付けられた注射針（１１）とを具備する安全注射器において、
上記ガラス製注射筒（１）に一体的に取り付けられた鞘（３）と、
注射することができるよう上記針（１１）が上記スリーブより前方に突出した使用時収縮位置から上記針（１１）が上記スリーブ（４）によって保護される安全前進位置へと移行するよう上記鞘上に滑ることができるように取り付けられたスリーブ（４）と、
上記スリーブ（４）が上記使用時収縮位置にあるときの位置と上記安全前進位置にあるときの位置とにおいて、上記スリーブ（４）をロックするよう上記鞘及び上記スリーブに互恵的に備えられたロック手段及び静止手段と、
上記プランジャー（２）が注射ストロークの終点にあるときに上記スリーブ（４）が使用時収縮位置から安全前進位置へと移動させることができるよう上記ロック手段と協同するように上記プランジャーの心棒（２０）の後部に一体的に取り付けられた操作手段（２２）とを具備していることを特徴とする安全注射器（１００）。
【請求項２】
上記スリーブ（４）と上記鞘（３）との間に配置された弾性力発生手段（６）を具備していることを特徴とする請求項１に記載の安全注射器（１００）。
【請求項３】
上記弾性力発生手段の一端は、上記スリーブの大径部（４０）と小径部（４１）との間に規定される輪状接触面（４２）と接触しており、上記弾性力発生手段の他端は、上記鞘（３）の先端部で外向きに突出したカラー（３０）によって規定される輪状接触面と接触していることを特徴とする請求項２に記載の安全注射器（１００）。
【請求項４】
上記ロック手段は、上記スリーブ（４）の側壁の後部において縦長に形成された２つの後部弾力性タング（４３）が備えられたスロット（４４）のそれぞれと係合するよう上記鞘から互いに正反対の向きに放射状に突出した２つのつめ（３１）を具備していることを特徴とする請求項１乃至３の何れか１項に記載の安全注射器（１００）。
【請求項５】
上記後部タング（４３）のそれぞれは、上記スリーブの側壁において上記スリーブの後端部まで形成された互いに平行で縦長の２つの切欠きによって規定されており、上記タング（４３）の後端部はスリーブの後端部を越えて放射状に突出していることを特徴とする請求項４に記載の安全注射器（１００）。
【請求項６】
上記操作手段は、上記プランジャー（２）が注射ストロークの終点に達したときに上記後部タングの上記スロット（４４）から上記鞘のつめ（３１）を解放するよう上記後部タングを外向きに広げるために上記後部タング（４３）と協同する円錐台ブロック（２２）を具備していることを特徴とする請求項４又は５に記載の安全注射器（１００）。
【請求項７】
上記静止手段は、上記スリーブ（４）の側壁の中央部において互いに正反対の位置に縦長に備えられたたわみ可能な１対の中央タング（４７）を具備しており、中央タング（４）は、上記鞘（３）に備えられた縦長の溝（３２）のそれぞれと係合する内向きに突出したそれぞれのつめ（４９）が備えられていることを特徴とする請求項１乃至６の何れか１項に記載の安全注射器（１００）。
【請求項８】
上記鞘（３）の上記縦長の溝（３２）のそれぞれは、上記鞘（４）が上記使用時収縮位置にあるときに上記鞘の上記中央タングの上記つめ（４９）のそれぞれと接触する後部接触面（３３）と、上記スリーブ（４）が上記安全前進位置にあるときに上記つめ（４９）のそれぞれと接触する前部接触面（３４）とを有することを特徴とする請求項７に記載の安全注射器（１００）。
【請求項９】
上記静止手段は、上記スリーブの側壁の後部において互いに正反対の位置に縦長に備えられたたわみ可能な１対の後部タング（５０）を具備しており、上記中央タング（５０）は、内向きに収束性を有すると共に上記スリーブ（４）が上記安全前進位置にあるときに上記鞘（３）の前端部と接触することができる接触面（５２）を有することを特徴とする請求項１乃至８の何れか１項に記載の安全注射器（１００）。
【請求項１０】
上記各中央タング（４７）及び上記各前部タング（５０）は、上記スリーブの側壁の中央部及び前部にそれぞれ形成された実質的にＵ字型のそれぞれの切欠き（４８、５１）によって定義されることを特徴とする請求項７又は９に記載の安全注射器（１００）。
【請求項１１】
鞘（３）、ばね（６）、スリーブ（４）及び操作手段（２２）を具備しており、注射器を安全注射器にするために適用される安全キット。
【請求項１２】
上記鞘（３）は、上記注射筒（１）に一体的に取り付けられており、
上記スリーブ（４）は、注射することができるよう上記注射筒（１）の前端部に取り付けられた針（１１）が上記スリーブより前方に突出する使用時収縮位置から上記針（１１）が上記スリーブによって保護される安全前進位置へと移行するよう上記鞘（３）に滑ることができるように取り付けられており、
上記ばね（６）は、上記スリーブ（４）と上記鞘（３）との間で作用するよう間に配置されており、
上記操作手段は、当該注射器のプランジャー心棒（２０）の後部に一体的に取り付けることができ、
上記スリーブが上記使用時収縮位置にあるときの位置と上記安全前進位置にあるときの位置とにおいて、上記スリーブをロックするよう上記鞘（３）及び上記スリーブ（４）にロック手段及び静止手段が互恵的に備えられており、
上記操作手段は、上記プランジャーが注射ストロークの終点にあるときに上記スリーブ（４）が使用時収縮位置から安全前進位置へと移動できるよう上記ロック手段と協同することを特徴とする請求項１１に記載の安全キット。
【請求項１３】
上記ロック手段は、上記スリーブ（４）の側壁の後部において縦長に形成された２つの後部弾力性タング（４３）が備えられたスロット（４４）のそれぞれと係合するよう互いに正反対の向きに上記鞘から放射状に突出した２つのつめ（３１）を具備していることを特徴とする請求項１２に記載の安全キット。
【請求項１４】
上記操作手段は、プランジャー（２）が注射ストロークの終点に達したときに上記後部タングの上記スロット（４４）から上記鞘の上記つめ（３１）を解放するよう上記後部タングを外向きに広げるために上記後部タング（４３）と協同する円錐台ブロック（２２）を具備していることを特徴とする請求項１２又は１３に記載の安全キット。
【請求項１５】
上記静止手段は、上記スリーブの側壁の中央部において互いに正反対の位置に縦長に備えられた１対のたわみ可能な中央タング（４７）を具備しており、上記中央タング（４）は、上記鞘（３）に備えられた縦長の溝（３２）のそれぞれと係合するよう内向きに突出したそれぞれのつめ（４９）が備えられていることを特徴とする請求項１２乃至１４の何れか１項に記載の安全キット。
【請求項１６】
上記鞘（３）の上記縦長の溝（３２）のそれぞれは、上記鞘（４）が上記使用時収縮位置にあるときに上記鞘の中央タングのつめ（４９）のそれぞれと接触する後部接触面（３３）と、上記スリーブ（４）が上記安全前進位置にあるときにつめ（４９）のそれぞれと接触する前部接触面（３４）とを有することを特徴とする請求項１５に記載の安全キット。
【請求項１７】
上記静止手段は、上記スリーブの側壁の前部において互いに正反対の位置に縦長に備えられた１対のたわみ可能な前部タング（５０）を具備しており、上記前部タング（５０）は、内向きに収束性を有すると共に上記スリーブ（４）が上記安全前進位置にあるときに上記鞘（３）の前端部と接触することができる接触面（５２）を有していることを特徴とする請求項１２乃至１６の何れか１項に記載の安全キット。